(57)【要約】【課題】  携帯電話機の基本的な状態を表示するピクト表示行は主表示部に表示領域を確保して表示するため、主表示部の表示領域が十分活用できない問題があった。また、特に携帯機器においては携帯性を向上させるため、主表示部の拡大にも限界があり、動画等を楽しむには表示領域をフルサイズで活用したい要望があった。【解決手段】  第１表示部と第２表示部が並列に配置されるように、第１筐体と第２筐体とが自在に回転および折畳み可能な携帯機器において、第１表示部と第２表示部が並列配置される状態を検知して、自動的に第１表示部のピクト表示等を第２表示部に移動させ、第１表示部の表示領域をフルサイズで活用する。また、ピクト表示に限らず、第１表示部で表示されるデータの関連データを第２表示部に自動的に表示する。これにより、第１表示部の表示領域の確保と共に関連データの情報も視認できる携帯機器を提供できる。【選択図】    図１
2005198172.tif 000002
【特許請求の範囲】
【請求項１】
第１表示部と、
第２表示部と、
前記第１および第２表示部に表示するデータを制御する表示制御手段と、
前記第１表示部と前記第２表示部が並列で視認できる並列状態と、前記第１表示部と前記第２表示部のいずれか一方が視認できる非並列状態との切換を検知する状態検知手段とを少なくとも有し、
前記状態検知手段により前記並列状態を検知して前記表示制御手段により前記第１表示部に表示されるデータの関連データを前記第２表示部に表示させることを特徴とする携帯機器。
【請求項２】
第１筐体と、
該第１筐体に対して回転および折畳み可能な第２筐体と、
第１表示部と、
第２表示部と、
前記第１および第２表示部に表示するデータを制御する表示制御手段と、
前記第１表示部と前記第２表示部が並列で視認できる並列状態と、前記第１表示部と前記第２表示部のいずれか一方が視認できる非並列状態との切換を検知する状態検知手段とを少なくとも有し、
前記状態検知手段により前記並列状態を検知して前記表示制御手段により前記第１表示部に表示されるデータの関連データを前記第２表示部に表示させることを特徴とする携帯機器。
【請求項３】
前記状態検知手段は、前記並列状態のうち第１筐体と前記第２筐体を開いた場合の第１並列状態と、前記第１および第２筐体を閉じた場合の第２並列状態とを検知し、前記表示制御手段は前記第１並列状態で前記第１表示部に表示される正像データを前記第２並列状態で逆像データにすることを特徴とする請求項２に記載の携帯機器。
【請求項４】
第１筐体と、
該第１筐体に対して回動自在に連結されるヒンジ部と、該ヒンジ部に対して回転自在となる第１表示部とを有する第２筐体と、
前記第１筐体と前記第２筐体を閉じた状態で露出する前記ヒンジ部表面に設けられた第２表示部と、
前記第１および第２表示部に表示するデータを制御する表示制御手段とを備えたことを特徴とする携帯機器。
【請求項５】
第１筐体と、
該第１筐体に対して回動自在に連結されるヒンジ部と、該ヒンジ部に対して回転自在となる第１表示部とを有する第２筐体と、
前記第１筐体に設けられ前記ヒンジ部が連結する突出部と、
前記突出部表面に設けられた第２表示部と、
前記第１および第２表示部に表示するデータを制御する表示制御手段とを備えたことを特徴とする携帯機器。
【請求項６】
前記表示制御手段は、前記第１および第２表示部が並列で視認できる並列状態において、前記第１表示部に表示するデータの関連データを前記第２表示部に表示できるようにすることを特徴とする請求項４または請求項５に記載の携帯機器。
【請求項７】
前記並列状態は、前記第１筐体と前記第２筐体を開いた場合の第１並列状態と前記第１および第２筐体を閉じた場合の第２並列状態を含み、前記表示制御手段は、前記第１並列状態で前記第１表示部に表示される正像データを前記第２並列状態で逆像データにすることを特徴とする請求項６に記載の携帯機器。
【請求項８】
前記表示制御手段は前記第１並列状態で前記第２表示部に表示される正像データを前記第２並列状態で逆像データにすることを特徴とする請求項３または請求項７に記載の携帯機器。
【請求項９】
前記関連データは、前記第１表示部の一部の領域に表示されるデータであり、前記第１表示部の当該データを削除して前記第２表示部に表示することを特徴とする請求項１または請求項２または請求項６に記載の携帯機器。
【請求項１０】
前記関連データは、当該機器の所定の状態を表示するデータであることを特徴とする請求項９に記載の携帯機器。
【請求項１１】
前記関連データは、前記第１表示部に表示されるデータのデータ属性情報の一部であることを特徴とする請求項１または請求項２または請求項６に記載の携帯機器。
【請求項１２】
前記関連データは、第１表示部に表示されるデータに対応付けされたデータであることを特徴とする請求項１または請求項２または請求項６に記載の携帯機器。
【請求項１３】
前記第１表示部に表示されるデータは複数の階層で分類されたデータであり、前記関連データは、前記第１表示部に表示されるデータの上または下の階層に分類されたデータであることを特徴とする請求項１または請求項２または請求項６に記載の携帯機器。
【発明の詳細な説明】
【技術分野】
【０００１】
この発明は、一般的には、携帯機器に関し、より特定的には、２つの筐体が回動可能に取り付けられて構成される携帯機器に関する。
【背景技術】
【０００２】
従来、携帯電話機に代表されるような上部筐体と下部筐体を折畳み可能にした携帯機器が広く普及している。また、上部筐体および下部筐体を閉じた状態で視認できなくなる主表示部の補助的な表示部として、上部筐体の背面やヒンジ部など、主表示部と正対する位置に副表示部を設けて、当該機器の基本情報等を表示させるものが知られている。
【０００３】
図１８には、従来の携帯電話機を示す。
【０００４】
図１８（Ａ）は上下筐体を開いた状態の外観図を示し、図１８（Ｂ）は上下筐体を閉じた状態の外観図を示す。
【０００５】
一般的に、図の如く一方の筐体１０１に主表示部１１３やスピーカ１０４などが設けられ、他方の筐体１０２には、操作ボタンやマイク１０４などが設けられている。そして、例えば上下筐体を開閉可能とするヒンジ部１０５に副表示部１１４が配置されている。
【０００６】
このような構造では、閉じた状態（図１８（Ｂ））では電波状態や電池残量など携帯電話機の基本的なステータス（ピクト表示）を副表示部１１４に表示することができ、開いた状態（図１８（Ａ））では、主表示部１１３とならんで副表示部１１４も視認可能となる。（例えば特許文献１参照。）。
【０００７】
また、折畳んだ状態でも主表示部を視認可能とし、基本的なステータスを確認できるように折畳み機構を工夫したものも知られている（例えば特許文献２参照）。
【特許文献１】特開２００３−１２５０４１号公報
【特許文献２】特開２００１−２９８５１３号公報
【発明の開示】
【発明が解決しようとする課題】
【０００８】
携帯電話機では、電界強度や、電池残量、時計など、ユーザが常に知っておきたい機器のステータスを表示するため、図１９のごとく主表示部１１３に所定の領域を確保してその領域にそれらのステータスを表示している。この所定の表示領域１１３ｂを一般にピクト表示行、またピクト表示行に対する表示をピクト表示という。
【０００９】
しかし、ピクト表示行は、メインのアプリケーションを表示する表示部１１３を表示領域１１３ａと表示領域１１３ｂに分割し、表示領域１１３ｂに表示させたり、表示領域１１３ａに表示領域１１３ｂを一部重畳して表示させている。
【００１０】
このため、アプリケーションによってはピクト表示をすることによりメインの表示領域１１３ａが小さくなり、液晶サイズを十分活用できない場合もある。また、一部重畳させる場合は、メインの表示領域１１３ａがピクト表示行１１３ｂから透過して表示されるものの、ピクト表示によりデータの一部が視認できない状態となる。
【００１１】
一方でメインの表示部１１３のサイズは携帯性を考慮すると限界がある。最近では動画再生が可能な機種も広く普及しているため、液晶サイズを有効に表示領域として利用したいが、ピクト表示によりこれらの要求に十分応えられない問題があった。
【００１２】
また、例えば上述のごとく、副表示部１１４を主表示部１１３と並列に視認可能とするものでは、開いた状態において切換ボタンを押下することにより、一時的にピクト表示を副表示部１１４で表示させたり、非表示にするものも知られている。しかし、この場合ではピクト表示を待避するために所定のキー操作が必要となり、操作性が向上できない問題があった。また、折り畳んだ状態で、主表示部１１３と副表示部１１４を並列に視認可能とすることができなかった。
【課題を解決するための手段】
【００１３】
本発明は上述した諸々の事情に鑑み成されたものであり、第１に、第１表示部と、第２表示部と、前記第１および第２表示部に表示するデータを制御する表示制御手段と、前記第１表示部と前記第２表示部が並列で視認できる並列状態と、前記第１表示部と前記第２表示部のいずれか一方が視認できる非並列状態との切換を検知する状態検知手段とを少なくとも有し、前記状態検知手段により前記並列状態を検知して前記表示制御手段により前記第１表示部に表示されるデータの関連データを前記第２表示部に表示させることにより解決するものである。
【００１４】
第２に、第１筐体と、該第１筐体に対して回転および折畳み可能な第２筐体と、第１表示部と、第２表示部と、前記第１および第２表示部に表示するデータを制御する表示制御手段と、前記第１表示部と前記第２表示部が並列で視認できる並列状態と、前記第１表示部と前記第２表示部のいずれか一方が視認できる非並列状態との切換を検知する状態検知手段とを少なくとも有し、前記状態検知手段により前記並列状態を検知して前記表示制御手段により前記第１表示部に表示されるデータの関連データを前記第２表示部に表示させることにより解決するものである。
【００１５】
また、前記状態検知手段は、前記並列状態のうち第１筐体と前記第２筐体を開いた場合の第１並列状態と、前記第１および第２筐体を閉じた場合の第２並列状態とを検知し、前記表示制御手段は前記第１並列状態で前記第１表示部に表示される正像データを前記第２並列状態で逆像データにすることを特徴とするものである。
【００１６】
第３に、第１筐体と、該第１筐体に対して回動自在に連結されるヒンジ部と、該ヒンジ部に対して回転自在となる第１表示部とを有する第２筐体と、前記第１筐体と前記第２筐体を閉じた状態で露出する前記ヒンジ部表面に設けられた第２表示部と、前記第１および第２表示部に表示するデータを制御する表示制御手段とを備えたことにより解決するものである。
【００１７】
第４に、第１筐体と、該第１筐体に対して回動自在に連結されるヒンジ部と、該ヒンジ部に対して回転自在となる第１表示部とを有する第２筐体と、前記第１筐体に設けられ前記ヒンジ部が連結する突出部と、前記突出部表面に設けられた第２表示部と、前記第１および第２表示部に表示するデータを制御する表示制御手段とを備えたことにより解決するものである。
【００１８】
また、前記表示制御手段は、前記第１および第２表示部が並列で視認できる並列状態において、前記第１表示部に表示するデータの関連データを前記第２表示部に表示できるようにすることを特徴とするものである。
【００１９】
また、前記並列状態は、前記第１筐体と前記第２筐体を開いた場合の第１並列状態と前記第１および第２筐体を閉じた場合の第２並列状態を含み、前記表示制御手段は、前記第１並列状態で前記第１表示部に表示される正像データを前記第２並列状態で逆像データにすることを特徴とするものである。
【００２０】
また、前記表示制御手段は前記第１並列状態で前記第２表示部に表示される正像データを前記第２並列状態で逆像データにすることを特徴とするものである。
【００２１】
また、前記関連データは、前記第１表示部の一部の領域に表示されるデータであり、前記第１表示部の当該データを削除して前記第２表示部に表示することを特徴とするものである。
【００２２】
また、前記関連データは、当該機器の所定の状態を表示するデータであることを特徴とするものである。
【００２３】
また、前記関連データは、前記第１表示部に表示されるデータのデータ属性情報の一部であることを特徴とするものである。
【００２４】
また、前記関連データは、第１表示部に表示されるデータに対応付けされたデータであることを特徴とするものである。
【００２５】
また、前記第１表示部に表示されるデータは複数の階層で分類されたデータであり、前記関連データは、前記第１表示部に表示されるデータの上または下の階層に分類されたデータであることを特徴とするものである。
【発明の効果】
【００２６】
本発明によれば以下の効果が得られる。
【００２７】
第１に、第１表示部と第２表示部の並列状態を検知し、並列状態の場合には自動的に第１表示部の関連データを第２表示部に表示させることができる。これにより、第１表示部の表示エリアを拡大することができる。
【００２８】
第２に、第１筐体に対して第２筐体が回転および折畳み可能な携帯電話機において、第１表示部と第２表示部の並列状態の場合に自動的に第１表示部の関連データを第２表示部に表示させることができる。これにより、携帯性を向上させるために第１表示部の拡大に限界が有る場合においても、第１表示部の表示エリアを十分に活用することができる。また、筐体の状態に応じて恒常的に表示するピクト表示を第２表示部に自動的に移動させて表示できるので、操作性を向上させることができる。
【００２９】
第３に、携帯電話機の回転および折畳みの状態を自動的に検知して第１表示部および第２表示部の表示データを正像表示から逆像表示に切り換えて表示することができる。これにより、回転および折畳むことで表示部の上下が逆転しても、携帯電話機を持ち替えることなく、表示を視認することができる。
【００３０】
第４に、関連データとして、動画、静止画撮影時のステータス表示、また動画・静止画撮影時の再生ステータスを第２表示部で表示できる。これにより、従来第１表示部（主表示部）でこれらのステータスを表示するために使用していたエリアをアプリケーションの画像再生等にフル活用できる。
【００３１】
第５に、関連データとして、複数の階層で分類・保存されているデータの上下の階層のデータを第２表示部で表示できる。非並列状態の第１表示部では表示できない、深い階層で管理されたデータも、並列状態にすることでデータの格納場所が視認しやすくなる。
【００３２】
このように、携帯機器の液晶画面サイズをハードウェア的に大きくすることにより、携帯性を損なうことなく、ユーザが大画面でアプリケーション操作や、画像表示、撮影を楽しむことができる。
【発明を実施するための最良の形態】
【００３３】
この発明の実施の形態について携帯電話機を例に、図面を参照して説明する。
【００３４】
本発明の携帯機器は、クラムシェルタイプの携帯電話機であり、第１の筐体と、第２の筐体と、第１表示部と、第２表示部と、状態検知手段と、表示制御手段とから構成され、備える一方の筐体を表裏反転させることができる。
【００３５】
図１から図１１を参照して本発明の第１の実施形態について詳述する。まず、図１から図６を参照して、回転および折畳み機構について説明する。
【００３６】
図１は、この発明の第１の実施の形態における携帯電話機１の開いた状態を示す斜視図である。図２は、図１中の携帯電話機１の閉じた状態を示す斜視図である。図３は、図２中の矢印ＩＩＩから見た携帯電話機を示す斜視図である。
【００３７】
携帯電話機１は、第１筐体２と、第１筐体２に対して回動軸５を中心に回動自在に連結された第２筐体６と備える。第２筐体６を第１筐体２に対して角変位自在に動かすことによって、携帯電話機１の形状は、図１に示す開いた状態と図２および図３に示す閉じた状態との間で変化する。
【００３８】
図１および図２を参照して、第１筐体２は、略矩形形状の表面３ａを有するベース部３と、表面３ａの所定位置から突出して形成された突出部４とからなる形状を有する。表面３ａは、携帯電話機１を開いた状態で外側に面し、閉じた状態で内側に面する表面である。
【００３９】
表面３ａには、キー操作部１８が設けられる。キー操作部１８は、数字および文字を入力するためのキーなどから構成される入力キー群１８ａと、携帯電話機１における各種設定／機能切換を行うための機能キー群１８ｂとからなる。また表面３ａには、キー操作部１８の近傍に通話用のマイク２０が設けられている。
【００４０】
筐体２の内部には図示しないカメラ部が収納され、筐体２の側面の一方には、カメラ部の使用時に操作されるシャッターボタン１１が設けられている。
【００４１】
第２筐体６は、突出部４に隣合って位置する。また筐体６は、突出部４に回動自在に設けられたヒンジ部７と、ヒンジ部７に対して回転軸９を中心に回転自在に設けられた筐体８とから構成されている。回転軸９は、突出部４の中心で回動軸５に直交している。
【００４２】
筐体８は、図１の状態ではヒンジ部７の表面７ａと隣接する略矩形形状の表面８ａを有する。表面８ａには、第１表示部１３が設けられている。第１表示部１３は、液晶ディスプレイやＥＬ(ｅｌｅｃｔｒｏ  ｌｕｍｉｎｅｓｃｅｎｔ)ディスプレイなどによって構成されており、表示ドライバを介して与えられる画像データに基づいて画像を表示する。第１表示部１３は、各種アプリケーションを実行する際の主表示部となり、携帯電話機の多機能化に伴って表示領域の拡大が進んでいる。
【００４３】
また、第１表示部１３は、液晶ディスプレイによって構成されている場合には、発光素子である発光ダイオードなどから構成されるバックライトにより背面から照明される。表面８ａには、第１表示部１３の近傍に位置して、通話時などに使用するスピーカ１７が設けられている。
【００４４】
図２のごとく、筐体８は表面８ａに対向する表面８ｂを有する。また、ヒンジ部７の表面７ａに対向する表面７ｂには、第２表示部１４が設けられる。第２表示部１４も、液晶ディスプレイやＥＬ(ｅｌｅｃｔｒｏ  ｌｕｍｉｎｅｓｃｅｎｔ)ディスプレイなどによって構成されており、表示ドライバ部を介して与えられる画像データに基づいて画像を表示する。また、第２表示部１４は、液晶ディスプレイによって構成されている場合には、発光素子である発光ダイオードなどから構成されるバックライトにより背面から照明される。第２表示部１４は、表面８ｂと同一平面に並び、突出部４と表面８ｂの間に配置される。また、後述するが、筐体８の回転により、第２表示部１４は表面８ａと同一平面に並ぶ。
【００４５】
図３を参照して、表面３ａの反対側に位置するベース部３の表面３ｂには、突出部４の裏側に位置して撮影レンズ１０およびフラッシュ１５が並んで設けられている。フラッシュ１５は、後に説明するカメラ部で撮影する際の補助光源として使われる。
【００４６】
表面３ｂには、撮影レンズ１０の近傍に位置して、スピーカー２２が並んで設けられている。筐体２の内部には、アンテナ１２が昇降自在に設けられている。図中には、降りた状態のアンテナ１２が示されている。
【００４７】
図４から図６は、図１中の第１表示部１３が設けられた筐体８を回転させた場合の携帯電話機を示す斜視図である。図４を参照して、携帯電話機１を開いた状態とし、筐体８を回転軸９を中心に図１に示す状態から９０度だけ回転させる。これにより、筐体８は、第１表示部１３が設けられた表面８ａと、キー操作部１８が設けられた筐体２の表面３ａとが直交するように位置決めされる。
【００４８】
図５を参照して、筐体８を回転軸９を中心に図４に示す状態からさらに９０度だけ回転させる。これにより、筐体８は、表面８ａと筐体２の表面３ｂとが同一方向を向き、筐体８の表面８ｂと筐体２の表面３ａとが同一方向を向くように位置決めされる。なお、図１、図４および図５に示す状態のみならず、筐体８を回転軸９を中心に適当な角度だけ回転させることによって、表面８ａに設けられた第１表示部１３を所望の方向に向けることができる。
【００４９】
この状態で、表面８ａの第１表示部１３と、ヒンジ部７の表面７ｂに設けられた第２表示部１４が同一平面状に並列配置される。
【００５０】
このように携帯電話機１では、筐体８が回転自在に設けられている。このため、カメラ部を用いて被写体を撮影する場合に、ユーザは、その撮影の条件にあわせて第１表示部１３の向きを選択することができる。
【００５１】
図６を参照して、筐体８を図５に示す状態に回転させた後、筐体８を回動軸５を中心に回動させる。これにより、携帯電話機１は、第１表示部１３が設けられた表面８ａが外側を向き、第１表示部１３と第２表示部１４が同一平面上に並列配置されたまま表面８ｂが内側を向くように閉じられる。
【００５２】
本明細書では、図５および図６で示す第１表示部１３と第２表示部１４が同一平面上に並列配置された状態を並列状態と称し、それ以外の状態を非並列状態と称する。
【００５３】
再び図１を参照して、本発明の携帯電話機は、第１筐体２および第２筐体６に状態検知手段３０を有する。状態検知手段３０は、第１表示部１３と第２表示部１４が並列で視認できる並列状態と、それ以外の状態である非並列状態との切換を検知する。本実施形態の状態検知手段３０は、第１ホール素子３０ａ、第２ホール素子３０ｂ、第３ホール素子３０ｃと、第１マグネット３０ｄ、第２マグネット３０ｅとからなる。
【００５４】
第１ホール素子３０ａ、第２ホール素子３０ｂは筐体２に設けられる。その位置は、例えば突出部４の逆側となるキー操作部１８の下方である。また第３ホール素子３０ｃは筐体８と接するヒンジ部７の端部に設けられる。
【００５５】
第１マグネット３０ｄおよび第２マグネット３０ｅは筐体８に設けられ、例えば第１マグネット３０ｄはヒンジ部７の逆側となるスピーカ１７付近に、そして第２マグネット３０ｅは第３ホール素子３０ｃに近接する筐体８のヒンジ部７側端部に設けられる。第１マグネット３０ｄは、閉じた状態で第１ホール素子３０ａまたは第２ホール素子３０ｂと近接する位置に配置し、第２マグネット３０ｅは図１のごとく開いた状態で第３ホール素子３０ｃと近接する位置に配置する。そして、第１および第２ホール素子３０ａ、３０ｂは第１マグネット３０ｄの磁力によりオンオフが切り換わり、第３ホール素子３０ｃは第２マグネット３０ｅの磁力によりオンオフが切り換わる。尚、ホール素子はマグネットの磁力が感知できればよいので、状態検知手段３０は筐体２、６表面に露出する必要はなく、筐体２、６内に設けられてもよい。
【００５６】
尚、本実施形態では状態検出手段としてマグネットとホール素子を例に説明したがこれに限らず、磁界の強弱を電気抵抗の変化として取り出す他の磁電変換素子や、開閉時の応力を電気抵抗変化に変換する半導体素子からなる感圧素子または他のスイッチであってもよい。
【００５７】
ホール素子と開閉状態の関係の一例を説明すると、第１ホール素子３０ａは第１マグネット３０ｄの磁力を感知してオン状態となる。すなわち第１ホール素子３０ａがオンの場合は、第１表示部１３が内側になるように閉じた状態であり、これを第１状態と称する（図２参照）。
【００５８】
第１ホール素子３０ａ、第２ホール素子３０ｂが第１マグネット３０ｄと近接せずにオフ状態であり、第３ホール素子３０ｃが第２マグネット３０ｅの磁力を感知してオン状態の場合、キー操作部１８と第１表示部１３を同一面側から視認可能に開いた状態であり、これを第２状態と称する（図１参照）。
【００５９】
また、この状態の（すなわちキー操作部１８とともに正常視認が可能な状態の）、筐体８に対する第１表示部１３の表示向きを正像と称する。つまりスピーカ１７方向が「天」、ヒンジ部７方向が「地」となる表示向きを正像とする。
【００６０】
第１ホール素子３０ａ、第２ホール素子３０ｂ、第３ホール素子３０ｃがすべてオフの場合、筐体２および筐体６を開いて且つ筐体８を回転した状態であり、これを第３状態と称する（図５参照）。
【００６１】
そして、第２ホール素子３０ｂのみオンの場合は、筐体８を回転して筐体６を閉じた状態であり、これを第４状態という（図６参照）。尚、この状態では第１表示部１３および第２表示部１４が外側に露出しており、閉じた状態であっても視認可能である。そして通常第３状態から第４状態にした場合には、ヒンジ部７が上方、スピーカ１７が下方となっている。そこで、第４状態では、第１表示部１３および第２表示部１４は、ヒンジ部７方向が「天」でスピーカ方向が「地」となる表示向きで表示する。
【００６２】
このようにヒンジ部７を中心として第２状態と上下が逆転している第１表示部１３に対して、表示向きも逆転させることにより、第４状態でもユーザは携帯電話機を持ち換えることなく正常視認することができる。この表示向きを正像に対して逆像と称する。
【００６３】
以上の状態において、並列状態とは、第３状態または第４状態をいう。このとき、第１、第２表示部１３、１４は、同一面側に並列表示され、同一面側からの視認が可能となる。
【００６４】
また、非並列状態は、第１状態または第２状態をいう。このとき第１、第２表示部１３、１４は、同一面側に並列表示されず、一方の面側で視認できるのは、第１表示部または第２表示部のいずれか一方となる。また状態が遷移途中の並列状態でない状態も非並列状態とする。
【００６５】
図７は、携帯電話機１の構成の概略を示すブロック図である。本実施の形態の携帯電話機器１は、主に、制御部２１、メモリ２３、表示ドライバ２４、第１表示部１３、第２表示部１４、無線部２５、通信制御部２６、カメラ部２７、キー操作部１８、アンテナ１２、状態検知手段３０を備えている。
【００６６】
制御部２１は、携帯電話機１を構成する各部位の動作を制御し、例えば、カメラ部２７、メモリ２３、表示ドライバ２４、第１及び第２表示部１３、１４、通信制御部２６等を制御する。制御部２１は、例えばユーザから画像データ表示の指示があると、表示ドライバ２４に制御信号を送信するとともに、メモリ２３に記憶された所定の画像データを表示ドライバ２４に送る。
【００６７】
表示ドライバ２４は、制御部２１からの信号を受信し、第１及び第２表示部１３、１４に表示しようとする画像データに従って、第１及び第２表示部１３、１４の各画素電極に対して駆動電圧を印加する。
【００６８】
カメラ部２７は、撮像レンズ１０と、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。被写体で反射されて撮像レンズ１０に入射した光を、カラーフィルタを通してＲＧＢの３色光にし、ＲＧＢの３色光をそれぞれ撮像素子によって電気信号に変換する。
【００６９】
また、カメラ部２７では、ＲＧＢに対応した電気信号を増幅し、増幅されたＲＧＢに対応した電気信号（アナログ）をデジタル信号に変換して画像データを出力し、その画像データに対して、画素の補間処理などの信号処理を行う。そして、制御部２１から送られてくる制御信号に基づいて、信号処理を施した画像データをメモリ２３に送る。
【００７０】
キー操作部１８は、上述の如く、表示画像の移動及び拡大／縮小を行う十字キーなどから構成される。
【００７１】
アンテナ１２は、無線電波を介して基地局と無線通信を行うときに、音声データ、文字データおよび画像データなどを送受信する。無線部２５は、受信時は、基地局からアンテナ２２を介して受信したデータを復調し、送信時は、通信制御部２６から送られてくる文字データおよび画像データなどを変調して増幅し、アンテナ１２を介して基地局に送信する。通信制御部２６は、無線部２５が復調した文字データおよび画像データなどの受信データを所定の通信プロトコルに基づいて制御部２１に送る。無線部２５、通信制御部２６を介して受信した相手先からの受信データは、メモリ２３に記憶される。
【００７２】
状態検知手段３０は、上述の如く、ホール素子３０ａ〜３０ｃと、マグネット３０ｄ、３０ｅにより、第１状態から第４状態を検知する。
【００７３】
更に、本実施形態の制御部２１は、表示制御手段３５を有する。表示制御手段３５は、状態検知手段３０により検知された筐体２、６の開閉および回転状態を取得し、その状態に応じて、第１表示部１３に表示されたデータの関連データを、第２表示部１４に表示する。また第１表示部１３に表示してあるデータを第１表示部１３から削除するとともに第２表示部１４に表示する。また、筐体の状態に応じてまた第２表示部１４から削除して第１表示部１３に再表示する。更に、第１表示部１３および第２表示部１４のデータについて正像と逆像の切換等の処理を行い、表示ドライバ２４に制御信号を送信する。
【００７４】
図８を参照して、第１表示部１３、第２表示部１４および表示データについて説明する。図８（Ａ）は非並列状態（第２状態）を示し、図８（Ｂ）（Ｃ）は並列状態（第３および第４状態）を示す。尚、第３状態は、表示部１３、１４側から見た図である。
【００７５】
図８（Ａ）のごとく非並列状態において第１表示部１３は、表示領域１３ａと表示領域１３ｂの少なくとも２つの表示領域からなる。表示領域１３ａは、アプリケーションを表示したり、静止画または動画撮影時にはファインダーとなるメインの表示領域であり、表示領域１３ｂは例えばピクト表示を行う領域（ピクト表示行）である。
【００７６】
表示領域１３ｂは、図の如く表示領域１３ａと分割した領域として設けてもよいし、表示領域１３ａ上に一部重畳させて確保した領域であってもよい。
【００７７】
ピクト表示とは、電界強度や、電池残量、時計など、ユーザが常に知っておきたい機器の基本的な状態の表示をいう。また本明細書ではこの他、例えばメール・電話の着信通知のアイコン表示も含む。
【００７８】
さらに、表示領域１３ｂにはピクト表示の他、表示領域１３ａの関連データとして静止画または動画撮影中には撮影日時、撮影時間等の撮影情報を、また動画を再生する場合にはその再生時間等も表示する。さらには、入力キーまたは操作キーに対応づけた操作ガイドキーを表示する場合もある。
【００７９】
ここで、機器の基本的な状態以外の、撮影情報や再生時間または操作ガイドキー表示等は、第１表示部１３内に更に表示領域１３ｂとは別の表示領域を確保して表示させるものでもよいが、本明細書では以下表示領域１３ａ以外の表示領域については表示領域１３ｂとして２つの領域の場合を例に説明する。
【００８０】
第２表示部１４は、筐体の開閉の状態に応じて表示内容が変化する。例えば、図示は省略するが筐体が閉じられて第１表示部１３が視認できない状態（第１状態）においては第２表示部１４に基本情報のみピクト表示され、第１表示部１３の補助的な役割を果たす。また、図８（Ａ）の非並列状態では、第２表示部１４はオフとなる。
【００８１】
そして、本実施形態では図８（Ｂ）（Ｃ）のごとく並列状態（第３状態あるいは第４状態）では、第２表示部には、第１表示部１３に表示されるデータの関連データを表示する。関連データとは、上記のピクト表示のデータや、その他表示領域１３ｂに表示されるデータ、また表示領域１３ｂに表示されるデータに限らず第１表示部１３に表示されるデータのデータ属性情報、第１表示部１３のデータに対応づけられた情報等である（尚、以下には主としてピクト表示を例に説明し、関連データの具体例については後述する。）。
【００８２】
すなわち、第３状態または第４状態を状態検知手段３０が検知すると、表示制御手段３５が第１表示部１３の表示領域１３ｂに表示されていたピクト表示のすべてまたは一部を削除して、第２表示部１４に表示する。つまり、キー操作をすることなく筐体の状態に応じて自動的に、第１表示部１３は表示領域１３ａおよび表示領域１３ｂを１つの表示領域として利用でき、第１表示部１３の液晶サイズをフルサイズで活用できる。
【００８３】
また、状態検知手段は、筐体８の回転による第１並列状態（第３状態：図８（Ｂ））と、筐体８の回転および折畳みによる第２並列状態（第４状態：図８（Ｃ））とを検知する。表示制御手段は第１並列状態で第１および第２の表示部１３、１４に表示される正像データを第２並列状態で逆像データにする。
【００８４】
第３状態から第４状態に折畳んだ場合には、筐体８に対する表示向きが同じままでは携帯電話機を保持しているユーザにとって表示の天地が逆転する。したがって、第１表示部１３および第２表示部１４の表示データを自動的に逆像表示することにより、ユーザは携帯電話機１を持ち換えることなく両表示部の正常視認が可能となる。これにより、第２、第３、第４状態の何れの場合でも、携帯電話機１を保持するユーザに対して正像データが表示される。
【００８５】
尚、第３状態は、ユーザ自身の撮影となることが多いので、この状態を検知して、鏡面表示してもよい。
【００８６】
図９および図１０を参照して、本実施形態の表示制御フローの一例を説明する。図９はフロー図であり、図１０は各状態における第１、第２表示部１３、１４の一例である。
【００８７】
まず、制御部２１は、第１〜第３のホール素子の変化が有るか判断し（ステップＳ１）、変化が有る場合は、第１ホール素子の状態を判断する（ステップＳ２）。第１ホール素子がオンの場合は第１状態なので、表示制御手段３５は、第１表示部１３をオフするよう表示ドライバ２４に制御信号を送信する（ステップＳ３）。そして表示制御手段３５は、第２表示部１４をオンし、第２表示部１４に、基本的な機器のステータス表示を逆像表示するよう表示ドライバ２４に制御信号を送信する（ステップＳ４）。基本的な機器のステータス表示は例えば電池残量、電波状況、時計、着信通知等である（図１０（Ａ））。
【００８８】
第１ホール素子がオフの場合、制御部２１は第２ホール素子の状態を判断する（ステップＳ５）。第２ホール素子がオンの場合、第４状態である。この場合実際には、第２状態、第３状態から第４状態になっているので、表示制御手段３５は、第１表示部１３をオンしてデータを逆像表示し、表示領域１３ｂのピクト表示を除去する。第１表示部１３には、表示領域１３ａ、１３ｂを１つの表示領域としてデータが全画面表示する（ステップＳ６）。また、表示制御手段３５は第２表示部１４もオンし、第１表示部１３から除去したピクト表示を第２表示部１４で逆像表示する（ステップＳ７）。
【００８９】
また例えば第２状態、第３状態で表示領域１３ｂに操作ガイドキーを表示していた場合で、第４状態でのキー操作を特に必要としない場合には、第１表示部１３に表示していた操作ガイドキーを削除し、第２表示部１４には操作ガイドキーを表示させなくてもよい。すなわち、並列状態において第１表示部１３から削除したデータを第２表示部１４にすべて表示するのではなく、状態に応じて必要となる情報を選択して、表示するとよい（図１０（Ｂ））。
【００９０】
第１および第２ホール素子がオフの場合、制御部２１は第３ホール素子の状態を判断する（ステップＳ８）。第３ホール素子がオンの場合は第２状態であるので、表示制御手段３５は第１表示部１３をオンしてデータを正像で表示し、表示領域１３ｂにピクト表示する（ステップＳ９）。また第２表示部１４は、この場合裏面になるので、オフにする（ステップＳ１０）（図１０（Ｃ））。
【００９１】
第１〜第３ホール素子がオフの場合は、第３状態であるので、表示制御手段３５は第１表示部１３をオンして正像でデータを表示する。また表示領域１３ｂからピクト表示を除去し、表示領域１３ａ、１３ｂを１つの表示領域としてデータを全画面表示する（ステップＳ１１）。更に、表示制御手段３５は、第２表示部１４をオンし、第１表示部１３から除去したピクト表示を正像表示する（ステップＳ１２）（図１０（Ｄ））。
【００９２】
このとき、キー操作部１８と第１および第２表示部１３、１４は逆側の面になり、カメラのレンズ１０と表示部１３、１４が同一面側になる。例えばユーザが自身を撮影するような場合には、第１表示部１３は正像で、鏡面表示としてもよい。
【００９３】
以上筐体の開閉状態に応じて自動的にピクト表示を第２表示部１４に移動させる例を説明したが、既述の如く本実施形態で第２表示部１４に表示されるデータはピクト表示に限らず、他の関連データを表示してもよい。以下、第１、第２表示部１３、１４に表示されるデータおよび関連データの一例を、図１１を参照して説明する。尚各図において左側に並列状態の第１および第２表示部１３，１４を示し、右側に表示例の対応表を示す。
【００９４】
図１１（Ａ）：第１表示部１３に表示されるデータのデータ属性情報の一部を第２表示部に表示する場合。
【００９５】
静止画、動画など画像データの場合、第１表示部１３に画像データ（コンテンツ）を全画面表示し、第２表示部１４には容量、ファイル名、データ形式等のファイル情報を表示する。またカメラ部で撮影した静止画データであれば、撮影日時、解像度等の撮影情報を表示する。撮像した動画データの場合は、撮影日時、容量、記録時間、ファイル名、データ形式等のファイル情報や撮影情報を表示する。動画データ再生の場合には、再生時間を表示する。
【００９６】
図１１（Ｂ）：第１表示部１３に表示されるデータに対応付けされたデータを第２表示部１４に表示する場合。
【００９７】
第１表示部１３に静止画・動画データを表示する場合は、そのデータに対してユーザが付加したコメント、タイトル、電話番号、名前等を第２表示部１４に表示する。第１表示部１３にメール本文を表示した場合には、第２表示部１４にタイトル、送信者、送信日時を表示する。
【００９８】
その他、スケジュールであれば第１表示部１３にカレンダーを表示し、第２表示部１４に１件の詳細データを表示する。あるいは第１表示部１３に詳細内容を表示して第２表示部１４にスケジュールのタイトル、日付を表示する。
【００９９】
また、例えばＴＶ機能付き携帯電話機であれば、第２表示部１４にチャンネル情報を表示して、第１表示部にコンテンツ１３を表示してもよい。
【０１００】
図１１（Ｃ）：第１表示部１３に表示されるデータは複数の階層で分類されたデータであり、関連データとして、第１表示部１３に表示されるデータの上または下の階層のデータを表示する場合。
【０１０１】
第１表示部１３に選択したフォルダの内容を表示して、第２表示部１４に上の階層のフォルダ一覧を表示する。または、第１表示部１３にフォルダ一覧を表示してカーソルで選択されたフォルダの内容（下層のフォルダまたはファイル）を第２表示部１４に表示する。
【０１０２】
このように、非並列状態では第１表示部に現在の階層のデータしか表示できない場合には、並列状態にすることで表示されなかった上または下の階層のデータを簡易表示でき、データの格納状況を視認しやすくすることができる。
【０１０３】
以上、第１表示部１３と第２表示部１４に表示するデータの一例を示したが、これに限らず、情報量の大きいデータを第１表示部１３に表示し、そのデータと関連しかつ情報量が比較的少なく、また重要な情報を第２表示部１４に表示することができる。
【０１０４】
また、第１表示部で表示されるデータの一部を第２表示部に移動させるだけでなく、フォルダの階層のように非並列状態の第１表示部１３では表示できない情報について、並列状態にすることで第２表示部１４を利用して表示することができる。
【０１０５】
また、上述の第１の実施形態では、キー操作部１８と第１表示部１３を同一面側から視認可能に開いた状態（第２状態）で第２表示部１４の表示を行わないようにしたが、これに限定されるものではなく、例えば、カメラ部２７を用いた撮影モードにおいて、撮影中であることを示すメッセージを表示させるようにしてもよく、このような構成とすることで、被写体側に撮影中であることを認識させることができる。
【０１０６】
また、上述の第１の実施形態では、第１表示部１３と第２表示部１４の並列状態（第３および第４状態）が検知されたとき、自動的に第１表示部１３の関連データを第２表示部１４に表示させるようにしたが、この並列状態（第３および第４状態）でユーザの操作があった場合に、第２表示部１４の表示を行わないようにし、第２表示部１４に表示していた第１表示部１３の関連データを第１表示部１３に表示させるようにしても良い。このような構成とすることで、ユーザの利便性を損なうことなく、第１表示部１３を大きく使用する必要がない場合に、第２表示部１４における電力消費を削減することができ、携帯機器の使用時間を延ばすことができる。
【０１０７】
また、上述の第１の実施形態では、第１表示部１３と第２表示部１４の並列状態（第３および第４状態）を検知したとき、自動的に第１表示部１３の関連データを第２表示部１４に表示させるようにしたが、これに限定されるものではない。例えば、第１表示部１３が内側になるように閉じた状態（第１状態）で第２表示部１４の表示を行わせ、それ以外の状態（第２〜第４状態）では第２表示部１４の表示を行わないようにしておき、並列状態（第３および第４状態）でユーザの操作があった場合に、第１表示部１３の関連データを第２表示部１４に表示させるようにしてもよい。このような構成にすることで、第１表示部１３を大きく使用する必要がない場合に、第２表示部１４における電力消費を削減することができ、携帯機器の使用時間を延ばすことができる。
【０１０８】
さらに、上述の第１の実施形態では、第１表示部１３が外側になるように閉じた状態（第４状態）で、第１表示部１３と、第２表示部１４の両方に情報を表示させるようにしたが、これに限定されるものではなく、例えば、ユーザの操作やアプリケーションの実行動作が所定時間以上ない場合において、第１表示部１３による表示を中断するようにしても良い。このような構成とすることで、第１表示部１３における電力消費を削減することができ、携帯機器の使用時間を延ばすことができると共に、第２表示部１４のピクト情報を表示継続できる利点もある。なお、第１表示部１３による表示の中断には、第１表示部１３が液晶ディスプレイによって構成されている場合におけるバックライトの消灯、第１表示部１３の駆動停止、起動中アプリケーションの強制終了等が含まれ、それら動作を一斉に行うようにしてもよいし、それぞれの動作を段階的に行うようにしても良い。
【０１０９】
次に、第２の実施形態について図１２から図１７を参照して説明する。第２の実施形態は、第１の実施形態と同様の回転・折畳み機構の携帯電話機で、突出部４に第２表示部１４を配置した構造である。
【０１１０】
この構造も、第１筐体２と、第１筐体２に対して回動軸５を中心に回動自在に連結された第２筐体６と備える。筐体２は、略矩形形状の表面３ａを有するベース部３と、表面３ａの所定位置から突出して形成された突出部４とからなり、突出部には図の如く第２表示部が配置される。第２の筐体６は、ヒンジ部７と、筐体８からなり、第２筐体６を第１筐体２に対して角変位自在に動かすことによって、携帯電話機１の形状は、図１２および図１４に示す開いた状態と図１３および図１５に示す閉じた状態との間で変化する。
【０１１１】
第２の実施形態では、第２表示部１４は、第１筐体２側に固定されており、第２筐体６を第１筐体２に対して回転させても、第２表示部１４自体は回転しない構造である。
【０１１２】
すなわち、第２表示部１４を突出部４表面に設けたので、筐体２に対して、筐体６を閉じた状態でも、第２表示部１４の画面は露出しており、そのまま視認できるものである。
【０１１３】
この場合第２表示部１４の配置が異なるので、表示制御手段の判定が異なるが、状態検出手段や、それ以外の携帯電話機の構成要素および動作についてはは第１の実施形態と同様であるので、説明は省略する。
【０１１４】
図１２から図１５を参照して、筐体の開閉状態と第１および第２表示部について説明する。
【０１１５】
第１状態（図１３）：筐体６を閉じて第１表示部１３が内側になるように折畳まれた状態である。第２表示部１４のみオンとし、ヒンジ部７が上方でマイク２０が下方となるように第２表示部１４のデータは正像表示される。
【０１１６】
第２状態（図１２）：キー操作部と第１表示部を同一面側から視認可能に開いた状態であり、第１表示部１３、第２表示部１４が並列状態となる。つまり、両表示部ともオンして正像で表示する。
【０１１７】
第３状態（図１４）：筐体８を１８０度回転させた状態であり、第１表示部１３、第２表示部１４は非並列状態となる。この場合、カメラのレンズ１０と第１表示部１３が同一面側にあり、撮影者は自信を撮影することができる。この場合は、第１表示部１３のみオンし、正像表示する。また、正像で鏡面表示としてもよい。
【０１１８】
第４状態（図１５）：筐体８を回転し、折畳んだ状態であり、第１表示部１３、第２表示部１４が並列状態となる。すなわち、両表示部ともオンし、第１表示部１３は逆像表示となる。第２表示部１４は筐体２に固定なので正像表示である。
【０１１９】
図１６には、表示制御フローの一例を示し、図１７には各状態の携帯電話機１の概要図を示す。
【０１２０】
まず、制御部２１は第１〜第３のホール素子の変化が有るか判断し（ステップＳ１１）、変化が有る場合は、第１ホール素子の状態を判断する（ステップＳ１２）。第１ホール素子がオンの場合は第１状態なので、表示制御手段３５は第１表示部１３をオフする（ステップＳ１３）。そして第２表示部１４をオンし、第２表示部１４に、基本的な機器のステータス表示を正像表示する（ステップＳ１４）。基本的な機器のステータス表示は例えば電池残量、電波状況、時計、着信通知等である（図１７（Ａ））。
【０１２１】
第１ホール素子がオフの場合、制御部２１は第２ホール素子の状態を判断する（ステップＳ１５）。第２ホール素子がオンの場合、第４状態であるので、表示制御手段３５は第１表示部１３をオンしてデータを逆像表示し、表示領域１３ｂからピクト表示を除去する。これにより、第１表示部１３には、表示領域１３ａ、１３ｂを１つの表示領域としてデータが全画面表示される（ステップＳ１６）。また、表示制御手段３５は、第２表示部１４もオンし、第１表示部１３から除去したピクト表示を第２表示部１４で正像表示する（ステップＳ１７）。
【０１２２】
また例えば第４状態でのキー操作を特に必要としない場合には、第１表示部１３にピクト表示していた操作ガイドキーを削除し、第２表示部には操作ガイドキーを表示させなくてもよい。すなわち、並列状態において第１表示部１３から削除したデータを第２表示部１４にすべて表示するのではなく、状態に応じて必要となる情報を選択して、表示するとよい（図１７（Ｂ））。
【０１２３】
第１および第２ホール素子がオフの場合、表示部２１は第３ホール素子の状態を判断する（ステップＳ１８）。第３ホール素子がオンの場合は第２状態であるので表示制御手段３５は第１表示部１３をオンして正像でデータを表示する。また表示領域１３ｂからピクト表示を除去し、表示領域１３ａ、１３ｂを１つの表示領域としてデータを全画面表示する（ステップＳ１９）。更に、表示制御手段３５は、第２表示部１４をオンし、第１表示部１３から除去したピクト表示を正像表示する（ステップＳ２０）（図１７（Ｃ））。
【０１２４】
第１〜第３ホール素子がオフの場合は、第３状態であるので、表示制御手段３５は第１表示部１３をオンしてデータを正像で表示し、表示領域１３ｂにピクト表示する（ステップＳ２１）。このとき、キー操作部１８と第１表示部１３は逆側の面になる。例えばユーザが自身を撮影するような場合には、第１表示部１３は正像で、鏡面表示としてもよい。第２表示部は１４、この場合裏面になるので、オフにする（ステップＳ２２）（図１７（Ｄ））。
【０１２５】
なお、上述の第２の実施形態では、第１表示部１３と第２表示部１４の並列状態（第２状態および第４状態）が検知されたとき、自動的に第１表示部１３の関連データを第２表示部１４に表示させるようにしたが、この並列状態（第２および第４状態）でユーザの操作があった場合に、第２表示部１４の表示を行わないようにし、第２表示部１４に表示していた第１表示部１３の関連データを第１表示部１３に表示させるようにしても良い。このような構成とすることで、ユーザの利便性を損なうことなく、第１表示部１３を大きく使用する必要がない場合に、第２表示部１４における電力消費を削減することができ、携帯機器の使用時間を延ばすことができる。
【０１２６】
また、上述の第２の実施形態では、第１表示部１３と第２表示部１４の並列状態（第２および第４状態）を検知したとき、自動的に第１表示部１３の関連データを第２表示部１４に表示させるようにしたが、これに限定されるものではない。例えば、第１表示部１３が内側になるように閉じた状態（第１状態）で、第２表示部１４の表示を行わせ、それ以外の状態（第２〜第４状態）では、第２表示部１４の表示を行わないようにしておき、並列状態（第２および第４状態）でユーザの操作があった場合に、第１表示部１３の関連データを第２表示部１４に表示させるようにしても良い。このような構成とすることで、第１表示部１３を大きく使用する必要がない場合に、第２表示部１４における電力消費を削減することができ、携帯機器の使用時間を延ばすことができる。
【０１２７】
さらに、上述の第２の実施形態では、第１表示部１３が外側になるように閉じた状態（第４状態）で、第１表示部１３と第２表示部１４の両方に情報を表示させるようにしたが、これに限定されるものではない。例えば、ユーザの操作やアプリケーションの実行動作が所定時間以上ない場合において、第１表示部１３による表示を中断するようにしても良く、このような構成とすることで、第１表示部１３における電力消費を削減することができ、携帯機器の使用時間を延ばすことができると共に、第２表示部１４のピクト情報を表示継続できる利点もある。なお、第１表示１３による表示の中断には、第１表示部１３が液晶ディスプレイによって構成されている場合におけるバックライトの消灯、第１表示部１３の駆動停止、起動中アプリケーションの強制終了等が含まれ、それら動作を一斉に行うようにしても良いし、それぞれの動作を段階的に行うようにしても良い。
【０１２８】
以上、本実施の形態では、クラムシェルタイプの携帯電話機１について説明を行なったが、本発明による携帯機器はこれに限定されない。携帯機器は、たとえば、ＰＤＡ（ｐｅｒｓｏｎａｌ  ｄｉｇｉｔａｌ  ａｓｓｉｓｔａｎｔｓ）、電子ブック等であってもよい。
【０１２９】
例えばＰＤＡの場合は、携帯電話機のスケジュール表示の場合と同様な適用が考えられる。また電子ブックであれば、第２表示部に目次を表示して第１表示部に本文を表示したり、第１表示部および第２表示部で２ページ分を表示する等の形態が考えられる。
【図面の簡単な説明】
【０１３０】
【図１】この発明の第１の実施の形態における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中の第１表示部が設けられた筐体を回転させた場合の携帯電話機を示す斜視図である。
【図５】図１中の第１表示部が設けられた筐体を回転させた場合の携帯電話機を示す別の斜視図である。
【図６】図１中の第１表示部が設けられた筐体を回転および折畳んだ場合の携帯電話機を示すさらに別の斜視図である。
【図７】本発明の第１の実施の形態における携帯電話機の構成を示すブロック図である。
【図８】図１中の第１表示部および第２表示部を示す概要図である。
【図９】本発明の第１の実施の形態における携帯電話機の表示処理フロー図である。
【図１０】図９中の各状態における携帯電話機の概要図である。
【図１１】本発明の第１の実施の形態における携帯電話機の第１表示部および第２表示部を示す概要図である。
【図１２】本発明の第２の実施の形態における携帯電話機の開いた状態を示す斜視図である。
【図１３】図１２中の携帯電話機の閉じた状態を示す斜視図である。
【図１４】図１２中の第１表示部が設けられた筐体を回転させた場合の携帯電話機を示す斜視図である。
【図１５】図１２中の第１表示部が設けられた筐体を回転および折畳んだ場合の携帯電話機を示すさらに別の斜視図である。
【図１６】本発明の第２の実施の形態における携帯電話機の表示処理フロー図である。
【図１７】図１６中の各状態における携帯電話機の概要図である。
【図１８】従来技術を示す概要図である。
【図１９】従来技術を示す概要図である。
【符号の説明】
【０１３１】
１  携帯電話機
２、６、８  筐体
３  ベース部
３ａ、３ｂ、７ａ、７ｂ、８ａ、８ｂ  表面
４  突出部
５  回動軸
７  ヒンジ部
９  回転軸
１０  レンズ
１２  アンテナ  
１３  第１表示部
１３ａ、１３ｂ  表示領域  
１４  第２表示部
１５  フラッシュ
１８  キー操作部
１８ａ  機能ボタン群
１８ｂ  入力ボタン群
２１  制御部
２４  表示ドライバ
２７  カメラ部
３０  状態検知手段
３０ａ  第１ホール素子
３０ｂ  第２ホール素子
３０ｃ  第３ホール素子
３０ｄ  第１マグネット
３０ｅ  第２マグネット
３５  表示制御手段
【図１】
2005198172.tif 000003
【図２】
2005198172.tif 000004
【図３】
2005198172.tif 000005
【図４】
2005198172.tif 000006
【図５】
2005198172.tif 000007
【図６】
2005198172.tif 000008
【図７】
2005198172.tif 000009
【図８】
2005198172.tif 000010
【図９】
2005198172.tif 000011
【図１０】
2005198172.tif 000012
【図１１】
2005198172.tif 000013
【図１２】
2005198172.tif 000014
【図１３】
2005198172.tif 000015
【図１４】
2005198172.tif 000016
【図１５】
2005198172.tif 000017
【図１６】
2005198172.tif 000018
【図１７】
2005198172.tif 000019
【図１８】
2005198172.tif 000020
【図１９】
2005198172.tif 000021